(57)【要約】【課題】  簡単な方法によって、複数種類の異常内容を通知すること、あるいは簡単な方法によって通知された複数種類の異常内容に対して、対処することができるデバイスなどを提供する。【解決手段】  本発明の監視デバイスは、ユニットの動作を監視し、あるユニットにおいて異常を検出した場合に、異常内容を表す異常検出信号を出力する状態監視部と、異常検出信号に対応する電圧レベルの通知信号を状態通知ラインに対して出力する通知部とを含む。【選択図】      図１
2015148973.tif 000002
【特許請求の範囲】
【請求項１】
ユニットの動作を監視し、前記ユニットにおいて異常を検出した場合に、異常内容を表す異常検出信号を出力する状態監視手段と、
前記異常検出信号に対応する電圧レベルの通知信号を状態通知ラインに対して出力する通知手段と
を含む監視デバイス。
【請求項２】
ユニットの状態が通知される状態通知ラインを介して出力される通知信号の電圧レベルを監視し、前記電圧レベルと、前記ユニットの状態とを関係づける状態判定情報に基づいて、前記電圧レベルに対応する異常内容を判定し、判定した前記異常内容を表す異常情報を出力する状態判定手段と、
出力された前記異常情報に応じた対処を実行する異常対処手段と
を有する管理デバイス。
【請求項３】
前記通知手段は、異常が発生したユニットおよび前記異常が発生したユニットにおける異常内容に応じた複数の電圧レベルで、前記通知信号を出力することが可能な
請求項１記載の監視デバイス。
【請求項４】
請求項１または３記載の監視デバイスと、
前記監視デバイスが監視する対象である前記ユニットと、
前記監視デバイスに電源を供給する第１の電源と、
前記ユニットに電源を供給する第２の電源と
を有する第１の電子装置。
【請求項５】
前記監視デバイスは、前記第１の電源によって供給される電源の電圧を調整せずに動作することが可能な
請求項４記載の第１の電子装置。
【請求項６】
請求項４または５記載の複数の第１の電子装置を含み、
前記第１の電子装置に対応する請求項２記載の複数の管理デバイスを含み、
前記各管理デバイスは、対応する前記第１の電子装置に含まれる監視デバイスから通知信号を受ける
第２の電子装置。
【請求項７】
前記各第１の電子装置に含まれる前記ユニットには、
前記第２の電源から供給される電源の電圧を、所定の電圧に変換するＤＣＤＣコンバータと、
前記第２の電源と前記ＤＣＤＣコンバータとを接続する電源ラインの経路途中に設けられ、前記電源ラインを切断することが可能なホットスワップ回路とを含み、
前記各第１の電子装置に含まれる前記各異常対処手段が、前記所定の対処として、前記状態通知ラインで接続された前記監視デバイスを有する第１の電子装置における前記ホットスワップ回路を用いて、前記第２の電源と前記ＤＣＤＣコンバータとの間の前記電源ラインを切断可能である
請求項６記載の第２の電子装置。
【請求項８】
ユニットの動作を監視し、
前記ユニットにおいて異常を検出した場合に、異常内容に対応する電圧レベルで、通知信号を状態通知ラインに対して出力する状態通知方法。
【請求項９】
ユニットの状態が通知される状態通知ラインを介して出力される通知信号の電圧レベルを監視し、
前記電圧レベルと、前記ユニットの状態とを関係づける状態判定情報に基づいて、前記電圧レベルに対応する異常内容を判定し、
判定した前記異常内容に応じた対処を実行する対処方法。
【請求項１０】
ユニットの状態が通知される状態通知ラインを介して出力される通知信号の電圧レベルを監視し、前記電圧レベルと、前記ユニットの状態とを関係づける状態判定情報に基づいて、前記電圧レベルに対応する異常内容を判定し、判定した前記異常内容を表す異常情報を出力する状態判定処理と、
前記異常情報に応じた対処を実行する異常対処処理と
をコンピュータに実行させるコンピュータ・プログラム。
【発明の詳細な説明】
【技術分野】
【０００１】
本発明は、電子装置における状態通知方法に関する。
【背景技術】
【０００２】
近年、冗長構成をとる電子装置において、装置を動作させたままＦＲＵ（Ｆｉｅｌｄ  Ｒｅｐｌｉｃａｂｌｅ  Ｕｎｉｔ、保守交換ユニット）を交換可能とするホットスワップ技術が普及している。このような技術においては、電子装置のいずれかのＦＲＵにおいて障害が発生したとき、ホットスワップ回路が、冗長構成の組となるＦＲＵに対して障害の影響を及ぼさないように、障害が発生したＦＲＵ（障害ＦＲＵ）を電子装置から切り離す。その後、管理者等が、切り離された障害ＦＲＵを新たなＦＲＵに交換するなど、障害箇所に対する復旧処理を行う。この際、管理者は、どのような障害によりホットスワップが動作するに至ったかなど、詳細な異常内容を知ることができれば、作業を適切に行うことができる。このような、障害が発生した個所を特定することにより適切な復旧処理を可能とする技術として、例えば、以下のような関連技術が知られている。
【０００３】
特許文献１には、冗長化した複数の直流直流変換器（以下、ＤＣＤＣコンバータという。ＤＣとは「Ｄｅｒｅｃｔ  Ｃｕｒｒｅｎｔ」の略）により、複数のディスクドライブに対して個別に電源を供給する電源装置において、異常が検出されたＤＣＤＣコンバータを特定する障害情報に基づいて、障害に対処する電源装置が開示されている。この特許文献１に記載された電源装置は、複数のＤＣＤＣコンバータ群と、各ＤＣＤＣコンバータ群に関して異常を検出する電源制御部と、それらの電源制御部を管理する管理部を備える。ＤＣＤＣコンバータ群に属する各ＤＣＤＣコンバータは、常時、自分自身が正常に作動しているか否かについての信号を、電源制御部に出力する。電源制御部は、その制御下にある各ＤＣＤＣコンバータからの警報信号が入力されるポートを調べることにより、各ＤＣＤＣコンバータに障害が生じているか否かを検出することができる。電源制御部は、異常を検出すると、異常が検出されたＤＣＤＣコンバータを特定するためのＤＣＤＣコンバータ番号、異常を検出した時刻、異常の種類などを含む障害情報を、障害監視部に対して通知する。管理部は、電源制御部に対し、障害情報に基づいて特定したＤＣＤＣコンバータの停止指示を出す。このようにして、特許文献１に記載された電源装置は、異常が発生したＤＣＤＣコンバータを特定し、障害が発生した箇所の切り離しを実現している。
【０００４】
また、特許文献２には、装置の故障情報を外部へ送信する外部インタフェース回路に対して給電する電源の故障時において、故障情報の送信を可能とする電源システムが開示されている。この特許文献２に記載された電源システムは、外部インタフェース回路に電源供給を行うスタンバイ電源を備えた複数の電源装置が並列運転する構成を有する。外部インタフェースは、スタンバイ電源を監視する出力監視機能と、故障を判定する故障判定機能と、故障を上位制御装置へ伝送する故障情報伝送機能を有する。この電源システムにおいて、外部インタフェースは、スタンバイ電源が故障した場合、並列運転中の他の電源装置から電力を取り込むことによって、動作が継続できる。これにより、外部インタフェースは、故障判定機能がスタンバイ電源の停止につながる故障と判定した場合に、故障情報伝送機能によって、故障情報を上位制御装置へ伝送できる。
【０００５】
また、特許文献３には、複数の電源モジュールを有する冗長電源システムにおいて、複数の監視ポイントを監視することによって得た稼働状態に基づいて、電源モジュールの停止を決定する冗長電源システムが開示されている。この特許文献３に記載された電源システムは、システムの全体を管理する監視制御コントローラを備える。監視制御コントローラは、各電源モジュールに設けた状態信号送信部から、各電源モジュールの稼働状態を示す状態信号を取得する。ここで状態信号が示す稼動状態とは、例えば、各電源モジュールから出力された一次出力電圧の各電圧レベル（例えば、電圧値）などである。そして、監視制御コントローラは、その状態信号に基づいて、電源モジュールを停止すべきか否かを決定することにより、電源供給が継続可能な場合にも、電源モジュールを停止させてしまうことを避ける。
【先行技術文献】
【特許文献】
【０００６】
【特許文献１】特開２００８−１０２８０４号公報
【特許文献２】特開２００９−０８１９１４号公報
【特許文献３】特開２００９−１６５３０６号公報
【発明の概要】
【発明が解決しようとする課題】
【０００７】
電子装置において障害が発生した場合、障害の範囲によっては、異常内容を伝送する際に必要な機能も障害される可能性がある。もし、異常内容を伝送する方法が複雑であれば、多数の信号線、各信号線の制御回路、それらへの電源などの正常稼働が必要になると考えられる。したがって、異常内容を通知する方法が複雑な場合、通知が伝送できない可能性が高まる。また、それにより、異常の通知を受けて対処を行う機能も、正常に作動しない可能性も高まる。すなわち、異常内容を伝送する方法は、できるだけ簡易であることが期待される。
【０００８】
しかしながら、特許文献１乃至３に開示された技術においては、異常内容を伝送する方法を簡易にすることに関して、特に配慮がない。なお、特許文献１において、ＤＣＤＣコンバータが電源制御部に対して警報信号を送る方法は、簡易ではあるが、障害が生じているか否かの２値を伝送するに過ぎない点で情報量不足と言える。
【０００９】
そこで、本発明は、簡単な方法によって、複数種類の異常内容を通知し、または対処することを目的とする。
【課題を解決するための手段】
【００１０】
上記の目的を達成すべく、本発明に係る監視デバイスは、以下の構成を備えることを特徴とする。
【００１１】
すなわち、本発明に係る監視デバイスは、
ユニットの動作を監視し、前記ユニットにおいて異常を検出した場合に、異常内容を表す異常検出信号を出力する状態監視手段と、
前記異常検出信号に対応する電圧レベルの通知信号を状態通知ラインに対して出力する通知手段と
を有する。
【００１２】
また、上記の目的を達成すべく、本発明に係る管理デバイスは、
ユニットの状態が通知される状態通知ラインを介して出力される通知信号の電圧レベルを監視し、前記電圧レベルと、前記ユニットの状態とを関係づける状態判定情報に基づいて、前記電圧レベルに対応する異常内容を判定し、判定した前記異常内容を表す異常情報を出力する状態判定手段と、
出力された前記異常情報に応じた対処を実行する異常対処手段と
を有する。
【００１３】
また、同目的を達成する本発明の更なる見知である第１の電子装置は、
上述した構成を有する監視デバイスと、
前記監視デバイスが監視する対象である前記ユニットと、
前記監視デバイスに電源を供給する第１の電源と、
前記ユニットに電源を供給する第２の電源と
を有する。
【００１４】
また、同目的を達成する本発明の更なる見知である第２の電子装置は、
上述した構成を有する複数の第１の電子装置を含み、
前記第１の電子装置に対応する、上述した構成を有する複数の管理デバイスを含み、
前記各管理デバイスは、対応する前記第１の電子装置に含まれる監視デバイスから通知信号を受ける。
【００１５】
また、上記の同目的を達成すべく、本発明に係る状態通知方法は、情報処理装置によって、
ユニットの動作を監視し、
前記ユニットにおいて異常を検出した場合に、異常内容に対応する電圧レベルで、通知信号を状態通知ラインに対して出力する。
【００１６】
また、同目的を達成する本発明の更なる見知である対処方法は、情報処理装置によって、
ユニットの状態が通知される状態通知ラインを介して出力される通知信号の電圧レベルを監視し、
前記電圧レベルと、前記ユニットの状態とを関係づける状態判定情報に基づいて、前記電圧レベルに対応する異常内容を判定し、
判定した前記異常内容に応じた対処を実行する。
【００１７】
また、同目的は、上記の各構成を有する監視デバイス、管理デバイス、第１の電子装置、第２の電子装置、並びに対応する方法を、それぞれコンピュータによって実現するコンピュータ・プログラム、及びそのコンピュータ・プログラムが格納されている、コンピュータ読み取り可能な記憶媒体によっても達成される。
【発明の効果】
【００１８】
本実施形態には、簡単な方法によって、複数種類の異常内容を通知すること、あるいは簡単な方法によって通知された複数種類の異常内容に対して、対処することができるという効果がある。
【図面の簡単な説明】
【００１９】
【図１】本発明の第１の実施形態に係る監視システムの構成を示すブロック図である。
【図２】本発明の第２の実施形態に係る監視システムの構成を示すブロック図である。
【図３】本発明の第３の実施形態に係る第２の電子装置３００の構成を示すブロック図である。
【図４】第３の実施形態において、監視対象ユニット群Ａに異常が発生した際の、第２の電子装置３００の動作を示すフローチャートである。
【図５】第３の実施形態に係る状態監視部２Ａおよび通知部３が行う動作において基準とする情報を概念的に説明する図である。
【図６】第３の実施形態における状態判定情報１４Ｂの一例を示す図である。
【発明を実施するための形態】
【００２０】
次に、本発明の実施形態について図面を参照して詳細に説明する。
【００２１】
＜第１の実施形態＞
図１は、本発明の第１の実施形態に係る監視システムの構成を示すブロック図である。図１を参照すると、本実施形態に係る監視システムは、監視デバイス１、管理デバイス１０、および状態通知ライン４を有する。
【００２２】
監視デバイス１と、管理デバイス１０とは、状態通知ライン４によって接続されている。監視デバイス１、および管理デバイス１０の各部は、専用のハードウェアデバイス、または論理回路によって構成されてもよい。または、監視デバイス１、および管理デバイス１０は、ＣＰＵ（Ｃｅｎｔｒａｌ  Ｐｒｏｃｅｓｓｉｎｇ  Ｕｎｉｔ：図示せず）を用いて実行されるコンピュータ・プログラム（ソフトウェア・プログラム）の制御により動作する一般的な情報処理装置（コンピュータ）によって構成されても良い。
【００２３】
監視デバイス１は、状態監視部２、および通知部３を有する。
【００２４】
状態監視部２は、監視対象ユニット２０の動作を監視することができる。そして、状態監視部２は、監視対象ユニット２０に異常を検出した場合に、異常が発生した監視対象ユニット２０および異常内容に応じた異常検出信号を、通知部３に対して出力する。異常検出信号は、電気的な信号、命令、または、図示しない記憶装置等を介して行う、異常内容を表す情報の授受などにより実現してもよい。なお、検出されうる異常内容および監視対象ユニット２０が複数ある場合、状態監視部２は、各異常内容を表す情報に対応して、複数の種類の異常検出信号を出力することができる。なお、監視対象ユニット２０は、複数であってもよい。また、１つの監視対象ユニット２０において検出されうる異常の種類が、複数であってもよい。
【００２５】
通知部３は、状態監視部２から異常検出信号を受けた場合、その異常検出信号に対応する電圧レベル（電圧値）の通知信号を、状態通知ライン４に対して出力する。すなわち、通知信号は、監視対象ユニット２０の状態を通知する信号であると言える。通知部３は、異常検出信号の種類が複数である場合、それに応じて、通知信号を複数の電圧値に調整することができる。言い換えると、通知部３は、異常が発生した監視対象ユニット２０および異常内容に対応する複数の電圧レベルで通知信号を出力することができる。通知部３は、異常検出信号を入力すると、対応する所定の電圧レベルで出力するように構成された回路として実現してもよい。または、通知部３は、図示しない記憶装置に保持された、異常検出信号と通知信号の電圧レベルとを対応づける情報を参照して電圧レベルを決定してもよい。
【００２６】
状態通知ライン４は、通知部３から出力された通知信号を伝送することができる。本実施形態では、状態通知ライン４は、管理デバイス１０に対して、通知信号を伝送する。
【００２７】
管理デバイス１０は、状態判定部１１、異常対処部１２、記憶装置１３を有する。
【００２８】
記憶装置１３は、例えば、半導体メモリ装置やディスク装置により実現される。記憶装置１３は、状態判定情報１４を記憶することができる。
【００２９】
状態判定情報１４は、通知信号の電圧レベルと、監視対象ユニット２０の状態とを対応づける情報を含む。状態判定情報１４は、例えば、電圧レベルが「４．５Ｖ」のとき、「特定の監視対象ユニット２０が正常稼働を示す信号を出力していない」状態であることなどを対応づけてもよい。状態判定情報１４は、あらかじめ記憶装置１３に保持されてもよい。
【００３０】
状態判定部１１は、監視デバイス１における通知部３から状態通知ライン４に対して出力される通知信号の電圧レベルを監視する。そして、状態判定部１１は、通知信号の電圧レベルと、監視対象ユニット２０の状態とを対応づける状態判定情報１４に基づいて、電圧レベルに対応する異常内容を判定する。状態判定部１１は、異常対処部１２に対して、判定した異常内容を表す異常情報を出力する。
【００３１】
異常対処部１２は、状態判定部１１から受けた異常情報に応じた対処を実行することができる。例えば、異常対処部１２は、異常情報に基づいて、図示しない通報手段を用いて、管理者に対して通報してもよい。
【００３２】
このようにして、監視デバイス１は、状態通知ライン４を介して出力する通知信号の電圧レベルによって、監視対象ユニット２０において発生した異常の内容を通報することができる。また、管理デバイス１０は、状態通知ライン４を監視することにより、状態通知ライン４に出力される通知信号の電圧レベルに基づいて、異常内容を把握することができる。そして、管理デバイス１０は、異常内容に応じた対処を実行することができる。
【００３３】
以上説明したように、本実施形態には、簡単な方法によって、複数種類の異常内容を通知することができるという効果がある。
【００３４】
その理由は、通知部３が、異常内容を通知する通知信号を、複数種類の異常内容に対応する電圧レベルで、状態通知ライン４に対して出力することができるからである。すなわち、通知部３は、複数の異常内容の種類を、通知信号における複数の電圧値によって表す。そのため、管理デバイス１０は、状態通知ライン４に出力される通知信号の電圧レベルを監視（測定）するだけで、複数の異常内容を把握することができる。すなわち、本実施形態の管理デバイスにおいて、簡単な方法によって通知された複数種類の異常内容に対して、対処することができるという効果も奏する。
【００３５】
また、本実施形態には、異常状態の通知インタフェースの構造を簡易にすることができるという効果もある。これにより、監視デバイスと管理デバイスの製造および保守などが、容易になるという効果も期待できる。
【００３６】
その理由は、監視デバイス１と管理デバイス１０との間のインタフェースを、一つの通知信号を伝送可能な状態通知ライン４によって構成することができるからである。一般に、稼働状態を１つの信号線を用いて表す方法では、１つの故障状態が、電圧値のハイレベル（例えば「正常」）とローレベル（例えば「異常」）との２値によって表される。この方法において、複数の状態を表す場合は、通知する状態の数に応じて信号線を増やす必要がある。それに対して、本実施形態は、１つの信号線（状態通知ライン４）において、複数の状態を示すことができるので、少ない信号線によってインタフェースを構成することができると言える。
【００３７】
なお、状態通知ライン４は、管理デバイス１０が接続されていない場合は、監視デバイス１の外縁に設けた外部端子（図示せず）等に接続してもよい。すなわち、管理者が、監視デバイス１０の外部端子に電圧測定器を接続することにより、状態通知ライン４に対して出力された通知信号の電圧レベルを測定してもよい。
【００３８】
＜第２の実施形態＞
次に、上述した第１の実施形態を基本とする第２の実施形態について説明する。以下では、第２の実施形態に係る特徴的な部分を中心に説明し、第１の実施形態と同様な構成を有する第２の実施形態の構成要素には、第１の実施形態で付した参照符号と同一の参照符号を付し、その構成要素について重複する詳細な説明は省略する。
【００３９】
まず、図２を参照して、以下に本実施形態の構成を説明する。図２は、本発明の第２の実施形態に係る監視システムの構成を示すブロック図である。
【００４０】
本実施形態では、監視デバイス１０１と、監視対象ユニット２０とを含む第１の電子装置１００において、監視デバイス１０１と、監視対象ユニット２０とにそれぞれ異なる系統の電源が供給されている点が上述した第１の実施形態と異なる。
【００４１】
図２を参照すると、本実施形態は、第１の電子装置１００と、管理装置２００とを有する。第１の電子装置１００と、管理装置２００とは、状態通知ライン４によって接続されている。第１の電子装置１００、および管理装置２００の各部は、専用のハードウェアデバイス、または論理回路によって構成されてもよい。または、第１の電子装置１００、および管理装置２００は、ＣＰＵ（図示せず）を用いて実行されるコンピュータ・プログラム（ソフトウェア・プログラム）の制御により動作する一般的な情報処理装置（コンピュータ）によって構成されても良い。
【００４２】
第１の電子装置１００は、電源装置１１０、監視デバイス１０１、監視対象ユニット２０を有する。
【００４３】
電源装置１１０は、第１の電子装置において動作する各部に対して、電源を供給することができるユニットである。電源装置１１０は、図示しない外部電源から電源ケーブル等を介して、電力を取り込んでもよい。電源装置１１０は、主（Ｍａｉｎ）電源１１１と、待機（Ｓｔａｎｄｂｙ）電源１１２を有する。
【００４４】
主電源１１１は、監視対象ユニット２０に対して、電源を供給することができる。また、主電源１１１は、監視対象ユニット２０以外の図示しないユニットに対して、電源を供給してもよい。例えば、主電源１１１は、第１の電子装置１００が稼働する際に必要な主要電源として実現してもよい。主電源１１１は、第１の電子装置１００に対して電源投入ボタン（図示せず）が押されるなど、第１の電子装置１００を稼働状態に移行する（ＤＣ  ＯＮの）際に、電源の供給を開始する。
【００４５】
待機電源１１２は、監視デバイス１０１の各部に対して、電源を供給することができる。また、待機電源１１２は、監視デバイス１０１以外の図示しないユニットに対して、電源を供給してもよい。待機電源１１２は、電源１１０にＡＣ（Ａｌｔｅｒｎａｔｉｎｇ  Ｃｕｒｒｅｎｔ、交流電源）が供給されている間、電源を供給する。電源１１０にＡＣが供給されている間とは、例えば、電源装置１１０が、図示しない外部電源と電源ケーブルで接続されている間である。
【００４６】
監視デバイス１０１は、第１の実施形態における監視デバイス１に対応する。また、監視デバイス１０１は、上述した通り、待機電源１１２から電源の供給を受ける。本実施形態における監視デバイス１０１は、状態監視部２、通知部１０３、記憶装置１０２を有する。状態監視部２の構成および機能は、第１の実施形態と同様であるので、重複する説明は省略する。
【００４７】
記憶装置１０２は、後述する出力値設定情報１０４を格納することができる。記憶装置１０２は、例えば、半導体メモリなどによって実現することができる。
【００４８】
通知部１０３は、第１の実施形態における通知部３に対応する。本実施形態における通知部１０３は、異常検出信号と、通知信号の電圧レベルとを対応づける情報を、記憶装置１０２に保持された出力値設定情報１０４から得る点が第１の実施形態と異なる。通知部１０３は、状態監視部２から異常検出信号を受けた場合、その異常検出信号に応じて出力する通知信号の電圧レベル（電圧値）を決定する際に、出力値設定情報１０４を参照する。通知部１０３のこれ以外の構成と動作については、第１の実施形態における通知部３と同様であるので、重複する説明は省略する。
【００４９】
出力値設定情報１０４は、通知部１０３が異常検出信号に対応する通知信号の電圧レベルを決定する際に、参照される。出力値設定情報１０４は、記憶装置１０２に格納される。出力値設定情報１０４は、異常検出信号と、通知信号の電圧レベルとを対応づける情報を含む。
【００５０】
なお、本実施形態は、通知部１０３、記憶装置１０２、および出力値設定情報１０４を、第１の実施形態における通知部３と差し替えても、動作させることが可能である。
【００５１】
監視対象ユニット２０は、第１の実施形態と同様に、状態監視部２によって監視される。本実施形態において、監視対象ユニット２０は、主電源１１１から電源の供給を受ける。これ以外の監視対象ユニット２０の構成と動作は、第１の実施形態と同様であるので、重複する説明は省略する。
【００５２】
管理装置２００は、管理デバイス１０を有する。管理デバイス１０は、状態通知ライン４を介して、通知部１０３から伝送される通知信号を受ける。管理デバイス１０の構成と動作は、第１の実施形態と同様であるので、重複する説明は省略する。
【００５３】
上述した構成を備える本実施形態の動作は、通知部１０３の動作を除いて、第１の実施形態と同様である。通知部１０３は、状態監視部２から異常検出信号を受けた場合、その異常検出信号に応じて出力する通知信号の電圧レベル（電圧値）を決定する際に、出力値設定情報１０４を参照する。これ以外の本実施形態の動作は、第１の実施形態の動作と同様であるので、重複する説明は省略する。
【００５４】
以上、説明したように、本実施形態には、上述した第１の実施形態と同様の効果に加えて、さらに、主電源１１１および監視対象ユニット２０に障害が発生した際、障害の影響を受けずに異常内容を通知できる可能性が高いという効果もある。
【００５５】
その理由は、監視デバイス１０１と、監視対象ユニット２０との電源供給ラインを分けているからである。すなわち、本実施形態では、待機電源１１２が、監視デバイス１０１に対して電源を供給する。一方、主電源１１１が、監視対象ユニット２０に対して電源を供給する。これにより、主電源１１１の障害、または監視対象ユニット２０が動作できなくなるような障害が発生したときも、監視デバイス１０１は、それらの障害を受けにくい待機電源１１２から電源供給を受けているので、動作を継続できる可能性が高いことが期待できる。
【００５６】
なお、特に監視デバイス１０１は、待機電源１１２から供給される電圧そのもので（すなわち、供給される電圧を調整せずに）動作するように構成してもよい。それにより、第１の電子装置１００は、障害が発生した際に異常内容を通知できる可能性がさらに高まるという効果がある。その理由は、待機電源１１２から供給される電圧を調整する機構等を省くことができるので、監視デバイス１０１、およびその周辺の構成が簡易化できるからである。すなわち、監視デバイス１０１、および待機電源１１２から監視デバイス１０１までを構成する回路が、障害の影響を受ける恐れを低減することができるからである。
【００５７】
＜第３の実施形態＞
次に、上述した第１および第２の実施形態を基本とする第３の実施形態について説明する。以下では、第３の実施形態に係る特徴的な部分を中心に説明する。以下では、第１または第２の実施形態と同様な構成を有する第３の実施形態の構成要素には、第１または第２の実施形態で付した参照符号と同一の参照符号を付し、その構成要素について重複する詳細な説明は省略する。
【００５８】
まず、図３を参照して、以下に本実施形態の構成を説明する。図３は、本発明の第３の実施形態に係る第２の電子装置３００の構成を示すブロック図である。
【００５９】
本実施形態に係る第２の電子装置３００は、第２の実施形態における第１の電子装置１００および管理デバイス１０を組み合わせたユニットを複数有する冗長構成を持つ。また、本実施形態は、監視対象ユニット２０の具体例として、ホットスワップ（ＨｏｔＳｗａｐ）部３３０、ＤＣＤＣコンバータ３３１、およびバッテリー３３２を含む。本実施形態における監視対象ユニット２０は、これらの他にも含まれるが、以下では、この３つを対象として動作を説明する。本実施形態に係る監視デバイス１は、同じユニットに含まれるホットスワップ部３３０、ＤＣＤＣコンバータ３３１、およびバッテリー３３２の何れかにおける障害が発生した際、他方のユニットに含まれる管理デバイス１０に対して障害内容を通知する。
【００６０】
以下に、本実施形態の各構成の詳細を説明する。図３を参照すると、本実施形態に係る第２の電子装置３００は、第２の実施形態における第１の電子装置３１０Ａおよび３１０Ｂと、管理デバイス１０Ａおよび１０Ｂとを有する。なお、本実施形態においては、符号の末尾に付した「Ａ」または「Ｂ」の記号によって、冗長構成の組となる同じ機能を有する機能部同士を区別する。以下の構成の説明においては、符号に「Ａ」が付与された構成の説明をもって、符号に「Ｂ」が付与された構成の説明に代えることができる。
【００６１】
第１の電子装置３１０Ａは、第２の実施形態を基本とする構成を有する。ただし、第１の電子装置３１０Ａは、監視対象ユニット２０の具体例として、ホットスワップ部３３０Ａ、ＤＣＤＣコンバータ３３１Ａ、およびバッテリー３３２Ａを有する。なお、以下では、ホットスワップ部３３０Ａ、ＤＣＤＣコンバータ３３１Ａ、およびバッテリー３３２Ａを、「監視対象ユニット群Ａ」とも言う。また、第１の電子装置３１０Ａは、第１の実施形態における監視デバイス１と同様の構成および機能を有する監視デバイス１Ａを有する。また、第１の電子装置３１０Ａは、電源装置１１０Ａを有する。
【００６２】
なお、以下では、第１の電子装置３１０Ａの電源装置１１０Ａを除いた部分（監視デバイス１Ａ、ホットスワップ部３３０Ａ、ＤＣＤＣコンバータ３３１Ａ、およびバッテリー３３２Ａ）と、管理デバイス１０Ａとを合わせて、システム制御部３２０Ａと言う。同様に、第１の電子装置３１０Ｂの電源装置１１０Ｂを除いた部分（監視デバイス１Ｂ、ホットスワップ部３３０Ｂ、ＤＣＤＣコンバータ３３１Ｂ、およびバッテリー３３２Ｂ）と、管理デバイス１０Ｂとを合わせて、システム制御部３２０Ｂと言う。
【００６３】
第２の電子装置３００は、電源装置１１０Ａおよび１１０Ｂと、システム制御部３２０Ａおよび３２０Ｂとをそれぞれ２つずつ含む冗長構成を有する。また、電源装置１１０Ａおよび１１０Ｂは、システム制御部３２０Ａ、およびシステム制御部３２０Ｂの両方に対して電源を供給することができるよう構成される。各システム制御部３２０に含まれる監視デバイス１は、対向するシステム制御部３２０に含まれる管理デバイス１０と、それぞれ別の状態通知ライン４を介して接続される。例えば、監視デバイス１Ａが、対向する管理デバイス１０Ｂと、状態通知ライン４Ａを通じて接続される。
【００６４】
電源装置１１０Ａは、主電源１１１Ａと、待機電源１１２Ａを有する。
【００６５】
主電源１１１Ａは、監視対象ユニット群Ａに電源を供給するほかに、監視対象ユニット群Ｂに対しても電源を供給することができる点が、第２の実施形態と異なる。これ以外の主電源１１１Ａの機能および構成は、第２の実施形態と同様であるので、重複する説明は省略する。
【００６６】
待機電源１１２Ａは、監視デバイス１０１Ａの各部に対して、電源を供給するほかに、管理デバイス１０Ａに対しても電源を供給することができる点が、第２の実施形態と異なる。また、待機電源１１２Ａは、監視デバイス１０１Ｂ、および管理デバイス１０Ｂに対しても電源を供給することができる点も、第２の実施形態と異なる。これら以外の待機電源１１２Ａの機能および構成は、第２の実施形態と同様であるので、重複する説明は省略する。
【００６７】
監視デバイス１Ａは、第１の実施形態における監視デバイス１に対応する。すなわち、監視デバイス１Ａは、状態監視部２Ａと通知部３Ａを有する。
【００６８】
状態監視部２Ａは、監視対象ユニット群Ａであるホットスワップ部３３０Ａ、ＤＣＤＣコンバータ３３１Ａ、およびバッテリー３３２Ａの動作を監視することができる。状態監視部２Ａは、監視対象ユニット群Ａに異常を検出した場合に、異常内容を表す異常検出信号を、通知部３Ａに対して出力する。また、状態監視部２Ａは、監視対象ユニット群Ａに異常を検出した場合に、後述するホットスワップ部３３０Ａを操作することにより、主電源１１１Ａおよび１１１Ｂから、監視対象ユニット群Ａを切り離すことができる。これ以外の状態監視部２Ａの機能および構成は、第１の実施形態と同様であるので、重複する説明は省略する。
【００６９】
通知部３Ａは、状態監視部２Ａから異常検出信号を受けた場合、その異常検出信号に応じた電圧レベルの通知信号を、状態通知ライン４Ａを介して、管理デバイス１０Ｂに含まれる状態判定部１１Ｂに対して出力する。これ以外の通知部３Ａの機能および構成は、第１の実施形態と同様であるので、重複する説明は省略する。
【００７０】
状態通知ライン４Ａは、通知部３Ａから出力された通知信号を、管理デバイス１０Ｂに含まれる状態判定部１１Ｂに対して、伝送することができる。
【００７１】
主電源１１１Ａおよび１１１Ｂから供給される電源は、ホットスワップ部３３０Ａ、ＤＣＤＣコンバータ３３１Ａ、バッテリー３３２Ａの順番で互いを接続する電源ラインに沿って、それらの各部に供給される。ＤＣＤＣコンバータ３３１Ａおよびバッテリー３３２Ａは、例えば、ディスク装置、および通信回路など、システム制御部３２０Ａに含まれる図示しないデバイス等に対して、それらのデバイスに適した電源を供給してもよい。
【００７２】
ホットスワップ部３３０Ａは、第１および第２の実施形態における監視対象ユニット２０に対応する。また、ホットスワップ部３３０Ａは、状態監視部２Ａから操作されることにより、ＤＣＤＣコンバータ３３１Ａへの電源供給ラインを遮断することができる。すなわち、ホットスワップ部３３０Ａは、監視対象ユニット群Ａにおいて異常が検出されたとき、主電源１１１Ａおよび１１１Ｂから供給される電力を利用するシステム制御部３２０Ａの各部を、主電源１１１Ａおよび１１１Ｂから切り離すことができる。
【００７３】
ＤＣＤＣコンバータ３３１Ａは、第１および第２の実施形態における監視対象ユニット２０に対応する。ＤＣＤＣコンバータ３３１Ａは、ホットスワップ部３３０Ａを介して供給される主電源１１１Ａおよび１１１Ｂの電力を、例えば、システム制御部３２０Ａに搭載される図示しないデバイス等が使用できる電圧に変換するコンバータである。
【００７４】
バッテリー３３２Ａは、第１および第２の実施形態における監視対象ユニット２０に対応する。バッテリー３３２Ａは、ＤＣＤＣコンバータ３３１Ａを介して電圧が調整された主電源１１１Ａおよび１１１Ｂの電力を充電することができる。
【００７５】
管理デバイス１０Ａは、第１および第２の実施形態における管理デバイス１０に対応する。管理デバイス１０Ａは、状態通知ライン４Ｂを介して、通知部３Ｂから伝送される通知信号を受ける。管理デバイス１０Ａの構成と動作は、第１および第２の実施形態と同様であるので、重複する説明は省略する。
【００７６】
次に、上述した構成を備える本実施形態の動作について、詳細に説明する。以下では、具体例として、監視対象ユニット群Ａにおいて異常が発生した場合における第２の電子装置３００の動作を、図４を参照して説明する。図４は、第３の実施形態において、監視対象ユニット群Ａに異常が発生した際の、第２の電子装置３００の動作を示すフローチャートである。以下の動作の説明においては、符号に「Ａ」が付与された機能部の動作の説明をもって、符号に「Ｂ」が付与された機能部の動作の説明に代えることができる。すなわち、監視対象ユニット群Ｂに異常が発生した際は、以下の説明における符号の「Ａ」と「Ｂ」とを入れ替えた機能部が、同様の動作を行うことができる。
【００７７】
まず、第２の電子装置３００が稼働状態であるとき、監視デバイス１Ａにおける状態監視部２Ａは、監視対象ユニット群Ａの動作を監視する（ステップＡ１００）。このとき、監視デバイス１Ｂにおける状態監視部２Ｂは、監視対象ユニット群Ｂの動作を監視する。
【００７８】
一方、管理デバイス１０Ｂにおける状態判定部１１Ｂは、状態通知ライン４Ａを介して伝送される通知信号の電圧レベルを監視する（ステップＢ１１０）。このとき、管理デバイス１０Ａにおける状態判定部１１Ａは、状態通知ライン４Ｂを介して伝送される通知信号の電圧レベルを監視する。
【００７９】
ここで、監視対象ユニット群Ａのいずれかに異常が発生すると、状態監視部２Ａが、その異常を検知する（ステップＡ１０１）。異常を検知した場合、状態監視部２Ａは、異常内容を表す異常検出信号を、通知部３Ａに対して出力する。
【００８０】
状態監視部２Ａが、各監視対象ユニット群Ａに対して異常と判定する際の判定基準、および異常に対応する異常検出信号を定める情報を概念的に説明する具体例を、図５に示す。図５は、第３の実施形態に係る状態監視部２Ａおよび通知部３が行う動作において基準とする情報（「障害判定基準テーブル」ともいう）を概念的に説明する図である。図５に示す各テーブル欄の情報は、状態監視部２Ａ、２Ｂによって管理される図示しない記憶デバイスに、互いに関連付けられて保持されてもよい。
【００８１】
図５における「監視対象テーブル」欄は、状態監視部２Ａが監視する対象を含む。また、図５における「異常判定基準テーブル」欄は、状態監視部２Ａが、「監視対象テーブル」欄に記載された対象に対して、異常であると判定する際の基準情報を含む。また、図５における「異常検出信号テーブル」欄は、状態監視部２Ａが、異常であると判定した場合に、通知部３に対して出力する異常検出信号を定義する情報を含む。例えば、状態監視部２Ａは、「監視対象テーブル」欄に含まれる「バッテリー３３２Ａ」が、「監視対象テーブル」欄に記載された「正常稼働を示す信号を出力していない」状態となった場合、異常が発生していると判定する。そして、状態監視部２Ａは、異常判定の基となった「監視対象テーブル」欄、および「監視対象テーブル」欄に対応する「異常検出信号テーブル」欄が示す異常検出信号「５」を、通知部３Ａに対して出力する。なお、状態監視部２Ａが、各監視対象ユニット群Ａに対する異常を判定する方法は、図５における「障害判定基準テーブル」に示す方法に限定されない。
【００８２】
なお、本実施形態における状態監視部２Ａは、図５に示すような異常判定と異常検出信号の出力が可能となるように構成された回路として実現されている。なお、状態監視部２Ａは、例えば、図示しない記憶装置におけるデータとして保持した図５に示す情報を参照することにより、異常の判定、および対応する異常検出信号の決定を行ってもよい。
【００８３】
監視対象ユニット群Ａのいずれかに異常が発生した場合、さらに、状態監視部２Ａまたは通知部３Ａは、ホットスワップ部３３０Ａを操作することにより、主電源１１１Ａおよび１１１Ｂから、監視対象ユニット群Ａを切り離す（ステップＡ１０２）。すなわち、ホットスワップ部３３０Ａは、ＤＣＤＣコンバータ３３１Ａへの電源供給を遮断することにより、ＤＣＤＣコンバータ３３１Ａ、およびバッテリー３３２Ａへの電源供給を停止する。これは、電源１１０Ａおよび１１０Ｂ、並びに、組となるシステム制御部３２０Ｂに対して、監視対象ユニット群Ａに発生した障害の影響をあたえないためである。なお、ステップＡ１０２の実行順番は、異常の検知後のいずれの時点であってもよい。例えば、状態監視部２Ａは、ステップＡ１０１における異常検出信号の出力の前に、ステップＡ１０２を実行してもよい。
【００８４】
次に、通知部３Ａは、状態監視部２Ａから受けた異常検出信号に応じて、所定の電圧レベルの通知信号を、状態通知ライン４Ａに対して出力する（ステップＡ１０３）。通知部３Ａは、状態監視部２Ａから受けた異常検出信号に対応する「出力値テーブル」欄に定義されている電圧レベルで通知信号を出力する。例えば、通知部３Ａは、異常検出信号「５」を受けた場合、対応する「出力値テーブル」欄に含まれる「２Ｖ」の電圧レベルで通知信号を出力する。
【００８５】
通知信号が出力されると、状態通知ライン４Ａを監視していた状態判定部１１Ｂが、通知信号の電圧レベルの変化を検知する（ステップＢ１１１）。
【００８６】
そして、状態判定部１１Ｂは、通知信号の電圧レベルと、監視対象ユニット群Ａの状態とを対応づける状態判定情報１４Ｂに基づいて、電圧レベルに対応する異常内容を判定する（ステップＢ１１２）。状態判定部１１Ｂは、異常対処部１２Ｂに対して、判定した異常内容を表す異常情報を出力する。
【００８７】
図６は、第３の実施形態における状態判定情報１４Ｂの一例を示す図である。図６を参照すると、状態判定情報１４Ｂは、「検出電圧テーブル」欄と、「障害箇所判定テーブル」欄と、「詳細情報テーブル」欄を含む。「検出電圧テーブル」欄は、通知信号の電圧値の情報を含む。「障害箇所判定テーブル」欄は、異常内容から推定される障害箇所を特定する情報を含む。本実施形態では、「障害箇所判定テーブル」欄に含まれる情報は、復旧を行う保守員が交換するＦＲＵを決定する助けとなるように、ＦＲＵ単位で記載されている。「詳細情報テーブル」欄は、異常内容を説明する詳細な情報を含む。なお、監視対象ユニット群Ａの状態を表す情報は、「障害箇所判定テーブル」欄、および「詳細情報テーブル」欄のどちらか一方だけでもよい。
【００８８】
例えば、状態判定部１１Ｂは、状態通知ライン４Ａから「２Ｖ」の電圧レベルを検知したとき、「２Ｖ」という情報を含む「検出電圧テーブル」欄に対応する「障害箇所判定テーブル」欄、および「詳細情報テーブル」欄の内容を、異常対処部１２Ｂに対して出力する。すなわち、状態判定部１１Ｂは、「障害箇所判定テーブル」欄に含まれる「システム制御部障害、メモリ障害」、および「詳細情報テーブル」欄に含まれる「バッテリー」という情報を異常情報として、異常対処部１２Ｂに対して出力する。なお、上述した障害箇所判定テーブル欄の具体例に含まれる「メモリ」とは、当該異常の原因となりうる、図示しないメモリである。
【００８９】
最後に、異常対処部１２Ｂは、状態判定部１１Ｂから受けた異常情報に応じて、所定の対処を実行する（ステップＢ１１３）。例えば、異常対処部１２Ｂは、「障害箇所：システム制御部障害、メモリ障害」「詳細情報：バッテリー」という情報を、図示しない通信回路を介して、保守員に対して通報してもよい。このとき、異常対処部１２Ｂは、通報以外の対処を実行してもよい。また、異常対処部１２Ｂは、異常情報によって、異なる対処を実行してもよい。
【００９０】
このようにして、監視デバイス１Ａは、状態通知ライン４Ａを介して出力する通知信号の電圧レベルによって、監視対象ユニット群Ａの状態を表す情報において発生した異常の内容を通報することができる。
【００９１】
以上説明したように、本実施形態には、上述した第１および第２の実施形態と同様の効果に加えて、さらに、異常が発生した部位の影響を抑えつつ、異常の判定および通知ができるという効果もある。すなわち、本実施形態には、異常が発生したことにより切り離され、稼働できなくなった部位に関しても、詳細な異常情報を得ることができるという効果がある。
【００９２】
その理由は、異常が発生した際、ホットスワップ部３３０Ａが、主電源１１１ＡとＤＣＤＣコンバータ３３１Ａとの間の電源供給を遮断することができるからである。また、監視デバイス１Ａは、異常の発生により切り離される部位とは異なる電源によって動作できるように構成されているからである。
【００９３】
また、本実施形態には、システム制御部３２０Ａまたは３２０Ｂにおいて異常が発生した場合に、第２の電子装置３００としての運用を継続できるという効果がある。同様に、電源１１０Ａまたは１１０Ｂにおいて異常が発生した場合にも、第２の電子装置３００としての運用を継続できるという効果もある。
【００９４】
その理由は、第２の電子装置３００は、同等の機能を持つシステム制御部３２０Ａおよび３２０Ｂを有し、一方に異常が発生したときにも他方が運用を継続できるからである。また、第２の電子装置３００は、同等の機能を持つ電源１１０Ａまたは１１０Ｂを有し、一方に異常が発生したときにも他方が運用を継続できるからである。
【００９５】
なお、状態監視部２Ａは、監視対象ユニット群Ａの動作に異常が検出されない場合（ステップＡ１００）、通知部３Ａに対して、正常であることを示す異常情報を通知してもよい。また、通知部３Ａは、監視対象ユニット群Ａの動作に異常が検出されない間、正常であることを示す電圧レベルで通知信号を、状態通知ライン４Ａに対して出力してもよい。
図５に示すように、状態監視部２Ａは、監視対象ユニット群Ａの動作に異常が検出されない場合、異常検出信号「１」を、通知部３Ａに対して出力する。そして、通知部３Ａは、異常検出信号が「１」である場合、「５Ｖ」の電圧レベルで通知信号を出力することにより、監視対象ユニット群Ａが正常稼働していることを通知する。また、図６に示すように、状態判定部１１Ｂは、通知信号の電圧レベルが「５Ｖ」である場合、「正常稼働」と判定する。このとき、異常対処部１２Ｂは、例えば「何もしない」という対処を行ってもよい。または、状態判定部１１Ｂが、異常対処部１２Ｂに対して、異常情報を出力しなくてもよい。これにより、管理デバイス１Ｂは、システム制御部１Ａが停止しているのか、正常に稼働しているのかを、明示的に区別することができる。また、監視デバイス１Ａが、監視デバイス１Ａ自身の正常稼働を通知できるという効果もある。
【００９６】
なお、ホットスワップ部３３０Ａは、正常稼働できない場合に、電源供給ができないようにしておいてもよい。これにより、ホットスワップ部３３０Ａ自身に異常が及んだ場合にも、異常発生個所の切り離しができるという効果がある。
【００９７】
なお、上述した実施形態の一部または全部は、以下の付記のようにも記載されうるが、以下の付記に限定されるものではない。
【００９８】
（付記１）
ユニットの動作を監視し、前記ユニットにおいて異常を検出した場合に、異常内容を表す異常検出信号を出力する状態監視手段と、
前記異常検出信号に対応する電圧レベルの通知信号を状態通知ラインに対して出力する通知手段と
を含む監視デバイス。
【００９９】
（付記２）
ユニットの状態が通知される状態通知ラインを介して出力される通知信号の電圧レベルを監視し、前記電圧レベルと、前記ユニットの状態とを関係づける状態判定情報に基づいて、前記電圧レベルに対応する異常内容を判定し、判定した前記異常内容を表す異常情報を出力する状態判定手段と、
出力された前記異常情報に応じた対処を実行する異常対処手段と
を有する管理デバイス。
【０１００】
（付記３）
前記通知手段は、異常が発生したユニットおよび前記異常が発生したユニットにおける異常内容に応じた複数の電圧レベルで、前記通知信号を出力することが可能な
付記１記載の監視デバイス。
【０１０１】
（付記４）
付記１または３記載の監視デバイスと、
前記監視デバイスが監視する対象である前記ユニットと、
前記監視デバイスに電源を供給する第１の電源と、
前記ユニットに電源を供給する第２の電源と
を有する第１の電子装置。
【０１０２】
（付記５）
前記監視デバイスは、前記第１の電源によって供給される電源の電圧を調整せずに動作することが可能な
付記４記載の第１の電子装置。
【０１０３】
（付記６）
付記４または５記載の複数の第１の電子装置を含み、
前記第１の電子装置に対応する付記２記載の複数の管理デバイスを含み、
前記各管理デバイスは、対応する前記第１の電子装置に含まれる監視デバイスから通知信号を受ける
第２の電子装置。
【０１０４】
（付記７）
前記各第１の電子装置に含まれる前記ユニットには、
前記第２の電源から供給される電源の電圧を、所定の電圧に変換するＤＣＤＣコンバータと、
前記第２の電源と前記ＤＣＤＣコンバータとを接続する電源ラインの経路途中に設けられ、前記電源ラインを切断することが可能なホットスワップ回路とを含み、
前記各第１の電子装置に含まれる前記各異常対処手段が、前記所定の対処として、前記状態通知ラインで接続された前記監視デバイスを有する第１の電子装置における前記ホットスワップ回路を用いて、前記第２の電源と前記ＤＣＤＣコンバータとの間の前記電源ラインを切断可能である
付記６記載の第２の電子装置。
【０１０５】
（付記８）
ユニットの動作を監視し、
前記ユニットにおいて異常を検出した場合に、異常内容に対応する電圧レベルで、通知信号を状態通知ラインに対して出力する状態通知方法。
【０１０６】
（付記９）
ユニットの状態が通知される状態通知ラインを介して出力される通知信号の電圧レベルを監視し、
前記電圧レベルと、前記ユニットの状態とを関係づける状態判定情報に基づいて、前記電圧レベルに対応する異常内容を判定し、
判定した前記異常内容に応じた対処を実行する対処方法。
【０１０７】
（付記１０）
前記通知信号の出力の際、異常が発生したユニットおよび前記異常が発生したユニットにおける異常内容に応じた複数の電圧レベルで出力することが可能な
付記８記載の状態通知方法。
【０１０８】
（付記１１）
ユニットの動作を監視し、前記ユニットにおいて異常を検出した場合に、異常内容を表す異常検出信号を出力する状態監視処理と、
前記異常検出信号に対応する電圧レベルの通知信号を状態通知ラインに対して出力する通知処理と
をコンピュータに実行させる第１のコンピュータ・プログラム。
【０１０９】
（付記１２）
ユニットの状態が通知される状態通知ラインを介して出力される通知信号の電圧レベルを監視し、前記電圧レベルと、前記ユニットの状態とを関係づける状態判定情報に基づいて、前記電圧レベルに対応する異常内容を判定し、判定した前記異常内容を表す異常情報を出力する状態判定処理と、
前記異常情報に応じた対処を実行する異常対処処理と
をコンピュータに実行させる第２のコンピュータ・プログラム。
【０１１０】
（付記１３）
前記通知処理において、異常が発生したユニットおよび前記異常が発生したユニットにおける異常内容に応じた複数の電圧レベルで、前記通知信号を出力することが可能な
付記１１記載の第１のコンピュータ・プログラム。
【符号の説明】
【０１１１】
１、１Ａ、１Ｂ、１０１    監視デバイス
２、２Ａ、２Ｂ    状態監視部
３、３Ａ、３Ｂ、１０３    通知部
４、４Ａ、４Ｂ    状態通知ライン
１０、１０Ａ、１０Ｂ    管理デバイス
１１、１１Ａ、１１Ｂ    状態判定部
１２、１２Ａ、１２Ｂ    異常対処部
１３、１３Ａ、１３Ｂ    記憶装置
１４、１４Ａ、１４Ｂ    状態判定情報
２０    監視対象ユニット
１００、３１０Ａ、３１０Ｂ    第１の電子装置
１０２    記憶装置
１０４    出力値設定情報
１１０、１１０Ａ、１１０Ｂ    電源装置
１１１、１１１Ａ、１１１Ｂ    主電源
１１２、１１２Ａ、１１２Ｂ    待機電源
２００    管理装置
３００    第２の電子装置
３２０Ａ、３２０Ｂ    システム制御部
３３０Ａ、３３０Ｂ    ホットスワップ部
３３１Ａ、３３１Ｂ    ＤＣＤＣコンバータ
３３２Ａ、３３２Ｂ    バッテリー
【図１】
2015148973.tif 000003
【図２】
2015148973.tif 000004
【図３】
2015148973.tif 000005
【図４】
2015148973.tif 000006
【図５】
2015148973.tif 000007
【図６】
2015148973.tif 000008